(57)【要約】【課題】飲用者が飲料用容器を傾けたり、顔を上方または下方に傾けたりすることなく、正面を向いて飲用することができる飲料用容器を提供する。【解決手段】飲用者が操作手段３７の揺動式操作レバー３３の先端部３３ａを持ち上げると、該先端部３３ａと係止突起２７との係合が外れて銜え部材１９が圧縮スプリング２５の付勢力により容器１の側方へ突出するとともに、容器内部５と銜え部材１９の吸入通路１９ｃとが連通口２１及び導入口２３を介して連通し、銜え部材１９の突出端部（吸引口１９ａ）を口で銜えて吸引することにより、飲料液Ａを飲用することができる。【選択図】図１
2019059544.tif 000002
【特許請求の範囲】
【請求項１】
上部に開口部（３）が形成された有底筒状容器本体（７）と、上記開口部（３）を開閉するように上記容器本体（７）に取り付けられる蓋体（９）と、を備えてなる飲料用容器（１）であって、
上記蓋体（９）の頂壁部（９ａ）には、一端が該蓋体（９）の側方に開放し、他端が該蓋体（９）内部で閉塞する銜え部材挿入孔（２０）が略水平方向に延びるように形成され、上記銜え部材挿入孔（２０）内には、当該銜え部材挿入孔（２０）の一端側が開口し、他端側が閉塞する飲料液吸入通路（１９ｃ）を有する長尺状の銜え部材（１９）が出没自在に挿入され、
上記銜え部材挿入孔（２０）下側の上記頂壁部（９ａ）には、上記銜え部材挿入孔（２０）と容器内部（５）とを連通する連通口（２１）が形成され、
上記銜え部材（１９）には、飲用時に該銜え部材（１９）が容器（１）側方に略水平方向に突出した状態において上記連通口（２１）と対向連通して上記容器内部（５）の飲料液（Ａ）を上記吸入通路（１９ｃ）に導くとともに、非飲用時に上記銜え部材（１９）が上記銜え部材挿入孔（２０）内に格納された状態において上記連通口（２１）との連通を遮断する飲料液導入口（２３）が形成され、
上記蓋体（９）には、上記銜え部材（１９）を非飲用時に格納状態に保持する一方、該格納状態の銜え部材（１９）を容器（１）側方に突出させて飲用状態に変換し、該状態を保持する操作手段（３７）が設けられていることを特徴とする飲料用容器。
【請求項２】
請求項１において、上記操作手段（３７）は、
上記銜え部材挿入孔（２０）の他端と上記銜え部材（１９）の他端との間の上記銜え部材挿入孔（２０）内に縮装され、該銜え部材（１９）を上記容器（１）側方に突出するように付勢する圧縮スプリング（２５）と、
上記導入口（２３）よりも他端側の上記銜え部材（１９）に上方に向けて突設された係止突起（２７）と、
上記銜え部材（１９）が飲用状態にある上記係止突起（２７）の位置を起端とし、当該銜え部材（１９）の他端側へ向けて延びるように上記銜え部材挿入孔（２０）の上側頂壁部（９ａ）に開孔され、上記係止突起（２７）が長手方向に往復移動する帯状ガイド孔（２９）と、
該ガイド孔（２９）の上方に対向するように上記蓋体（９）の上記頂壁部（９ａ）上面に取り付けられるとともに付勢バネ（３５）により先端部（３３ａ）が上記ガイド孔（２９）側に向けて回動するように付勢される揺動式操作レバー（３３）とで構成され、
該操作レバー（３３）は、飲用者が上記銜え部材（１９）を押圧して飲用状態から非飲用状態に格納移動する際、上記係止突起（２７）により上記付勢バネ（３５）の付勢力に抗して上記先端部（３３ａ）が上方へ持ち上げられた後、復元して上記係止突起（２７）と当接し、該係止突起（２７）の上記ガイド孔（２９）起端側への移動を阻止する一方、飲用の際、飲用者が上記操作レバー（３３）を上記付勢バネ（３５）の反付勢方向に回動させて上記係止突起（２７）との当接を解除することにより上記圧縮スプリング（２５）の付勢力により上記銜え部材（１９）が容器（１）側方へ突出することを特徴とする飲料用容器。
【請求項３】
請求項１又は２において、
上記容器本体（７）における筒部（７ａ）の内径は、該容器本体（７）の上記開口部（３）の内径と同等に形成され、上記容器内部（５）には、上記筒部（７ａ）の内周面に密接して上下方向に摺動する可動底部材（４１，５１）が嵌合され、上記容器本体（７）の底壁（７ｃ）又は該底壁（７ｃ）近傍の上記筒部（７ａ）には上記可動底部材（４１，５１）の下方の上記容器内部（５）を大気に連通する大気連通口（７ｄ）が形成され、上記可動底部材（４１，５１）の上方の上記容器内部（５）に飲料液（Ａ）が入れられ、飲用時における飲料液（Ａ）の流出量に追従して上記可動底部材（４１，５１）が上昇するようにしたことを特徴とする飲料用容器。
【請求項４】
請求項１又は２において、
上記頂壁部（９ａ）の上記連通口（２１）には、上下両端が開口し、下端が上記容器本体（７）の底壁（７ｃ）近傍まで延びる飲料液導通パイプ（７１）の上端（７１ａ）が気密に取り付けられていることを特徴とする飲料用容器。
【発明の詳細な説明】
【技術分野】
【０００１】  本発明は、飲用時に吸入用銜え部材が容器の側方から略水平方向に突出するようにした飲料用容器に関するものである。
【背景技術】
【０００２】  飲用者は、水筒、ボトル等の飲料用容器に入っている水、お茶等の飲料液を飲む際、吸入口（飲み口部）が若干下方へ向くように飲料用容器を傾けるとともに顔を若干上方へ傾けて飲んだり、逆に特許文献１のようなストロー式飲料用容器においては、顔を若干下方へ傾けて飲んだりするのが一般的である。【０００３】  しかしながら、飲用者が歩行しながらこのような飲用姿勢で飲用すると、飲用者の目（視線）が正面を向くことなく、上を向いたり、下を向いたりしているため、他の歩行者、自転車、自動車等と衝突する虞があり、極めて危険である。
【先行技術文献】
【特許文献】
【０００４】
【特許文献１】特許第５３３３６１１号公報
【発明の概要】
【発明が解決しようとする課題】
【０００５】  そこで、上記特許文献１に開示されたストロー式飲料用容器を、飲用時に飲用者の顔が正面を向くように飲み口部（銜え部材）をさらに延長することが考えられるが、このようにすると、非飲用時に飲み口部を蓋内に格納できなくなったり、格納しょうとすると容器が大型になったりする課題が生じる。
【課題を解決するための手段】
【０００６】  本発明は、上記課題に鑑みて、飲用時に吸引用銜え部材を容器の側方に略水平方向に突出させて、飲用者が正面を向いた状態で飲用できるようにするとともに非飲用時には銜え部材を容器内にコンパクトに格納できるようにした飲料用容器を提供するものである。【０００７】  具体的には、第１の発明である請求項１に係る発明は、
上部に開口部が形成された有底筒状容器本体と、上記開口部を開閉するように上記容器本体に取り付けられる蓋体と、を備えてなる飲料用容器であって、
上記蓋体の頂壁部には、一端が該蓋体の側方に開放し、他端が該蓋体内部で閉塞する銜え部材挿入孔が略水平方向に延びるように形成され、上記銜え部材挿入孔内には、当該銜え部材挿入孔の一端側が開口し、他端側が閉塞する飲料液吸入通路を有する長尺状の銜え部材が出没自在に挿入され、上記銜え部材挿入孔下側の上記頂壁部には、上記銜え部材挿入孔と容器内部とを連通する連通口が形成され、上記銜え部材には、飲用時に該銜え部材が容器側方に略水平方向に突出した状態において上記連通口と対向連通して上記容器内部の飲料液を上記吸入通路に導くとともに、非飲用時に上記銜え部材が上記銜え部材挿入孔内に格納された状態において上記連通口との連通を遮断する飲料液導入口が形成され、上記蓋体には、上記銜え部材を非飲用時に格納状態に保持する一方、該格納状態の上記銜え部材を容器側方に突出させて飲用状態に変換し、該状態を保持する操作手段が設けられていることを特徴とする。【０００８】  第２の発明である請求項２に係る発明は、請求項１において、
上記操作手段は、上記銜え部材挿入孔の他端と上記銜え部材の他端との間の上記銜え部材挿入孔内に縮装され、該銜え部材を上記容器側方に突出するように付勢する圧縮スプリングと、上記導入口よりも他端側の上記銜え部材に上方に向けて突設された係止突起と、上記銜え部材が飲用状態にある上記係止突起の位置を起端とし、当該銜え部材の他端側へ向けて延びるように上記銜え部材挿入孔の上側頂壁部に開孔され、上記係止突起が長手方向に往復移動する帯状ガイド孔と、該ガイド孔の上方に対向するように上記蓋体の上記頂壁部上面に取り付けられるとともに付勢バネにより先端部が上記ガイド孔側に向けて回動するように付勢される揺動式操作レバーとで構成され、
該操作レバーは、飲用者が飲用状態にある上記銜え部材を押圧して非飲用状態に格納移動する際、上記係止突起により上記付勢バネの付勢力に抗して上記先端部が上方へ持ち上げられた後、復元して係止突起と当接し、該係止突起の上記ガイド孔起端側への移動を阻止する一方、飲用の際、飲用者が上記操作レバーを上記付勢バネの反付勢方向に回動させて上記係止突起との当接を解除することにより上記圧縮スプリングの付勢力により上記銜え部材が容器側方へ突出することを特徴とする。【０００９】  第３の発明である請求項３に係る発明は、請求項１又は２において、
上記容器本体における上記筒部の内径は、該容器本体の上記開口部の内径と同等に形成され、上記容器内部には、上記筒部の内周面に密接して上下方向に摺動する可動底部材が嵌合され、上記容器本体の底壁又は該底壁近傍の上記筒部には上記可動底部材の下方の上記容器内部を大気に連通する大気連通口が形成され、上記可動底部材の上方の上記容器内部に飲料液が入れられ、飲用時における飲料液の流出量に追従して上記可動底部材が上昇するようにしたことを特徴とする。【００１０】  第４の発明である請求項４に係る発明は、請求項１又は２において、
上記頂壁部の上記連通口には、上下両端が開口し、下端が上記容器本体の底壁近傍まで延びる飲料液導通パイプの上端が気密に取り付けられていることを特徴とする。
【発明の効果】
【００１１】  請求項１に係る発明では、飲用時に銜え部材が容器側方から略水平方向に突出するので、飲用者は歩行中でも顔（視線）を正面に向けて飲用することができ、他の歩行者、自転車、自動車等と衝突したりする危険性を軽減することができる。【００１２】  また、上記蓋体の頂壁部に形成した略水平方向の上記銜え部材挿入孔に上記銜え部材を出没自在に挿入したので、非飲用時には、該銜え部材が上記銜え部材挿入孔内に格納されるため、容器が大型化することなくコンパクトであり、構造が簡素化し、安価な飲料用容器を得ることができる。【００１３】  請求項２に係る発明では、請求項１に係る発明の上記効果に加えて、上記操作レバーが、上記銜え部材の銜え部材挿入孔内への格納保持機能と、該格納保持機能を解除す格納保持解除機能とを有するので、上記銜え部材が容器側方に突出した飲用状態から非飲用状態にするときには、上記銜え部材を上記銜え部材挿入孔へ単に押圧する（押し込む）だけでよく、また、上記銜え部材が上記銜え部材挿入孔内に格納された非飲用状態から容器側方に突出した飲用状態にするときには、上記操作レバーをその先端部が持ち上がるように操作すればよい。これにより上記飲料用容器をワンタッチで飲用状態又は非飲用状態にすることができ、その操作が極めて簡単であるとともにその構造が極めて簡素である。【００１４】  また、上記銜え部材の飲用状態の保持は、該銜え部材に突設された上記係止突起を上記圧縮スプリングにより上記帯状ガイド孔の起端側壁部に当接するように付勢しているため、銜え部材を容器側方からの設定された突出長さに安定して保持することができる。【００１５】  請求項３に係る発明では、請求項１又は２に係る発明の上記効果に加えて、飲用時に飲用者が上記銜え部材を口で銜えて吸引すると、この吸引力により容器内部の飲料液が上記連通口、導入口及び吸入通路を経て飲用者の口に吸引される。このとき、容器本体の底壁又は該底壁近傍の上記筒部には大気連通口が形成されているため、上記吸引力により飲料液が容器内部から流出した量（吸引された量）だけ上記可動底部材が上昇する。飲用者は、飲料を終えると上記銜え部材を反突出方向に押さえて上記銜え部材挿入孔内に格納するため、該銜え部材により上記導入口と連通口との連通が遮断される。【００１６】  これにより、容器内部には、空洞（空気溜まり）が生じることなく飲料液が充填した状態となる。よって、このような状態の飲料用容器をウォーキング時、ランニング時等に携帯した場合、飲料液が波打ちし、この波打ちによる波打ち音や飲料用容器の揺れの助長が発生することがなく、快適にウォーキングやランニング等をすることができる。【００１７】  請求項４に係る発明では、請求項１又は２に係る発明の上記効果に加えて、下端が上記容器本体の底壁近傍まで延びる上記飲料液導通パイプの上端を上記連通口に気密に取り付けたので、飲料液が容器内部に充填されていない状態で飲用者が上記銜え部材を口で銜えて飲み始めると、飲料液面より上方の上記容器本体内の空気を吸引することなく、飲料液を直ちに飲むことができる。【００１８】  また、飲用を終えると、飲用者は上記銜え部材を上記銜え部材挿入孔内に格納するため、この格��に伴い上記銜え部材により上記導入口と連通口との連通が遮断され、これにより上記導通パイプ内に空気が溜まることなく飲料液が充填しており、次の飲用時に上記導通パイプ内の空気を吸入することなく、吸引開始時から飲料液を飲むことができる。
【図面の簡単な説明】
【００１９】
【図１】本発明の実施形態１に係る飲料用容器の非飲用状態の縦断面図である。
【図２】図１における銜え部材を容器側方に突出させた飲用状態の図１相当図である。
【図３】図１における蓋体の帯状ガイド孔の平面図である。
【図４】図１における可動底部材の平面図である。
【図５】図１における可動底部材の変形例を示す縦断面図である。
【図６】本発明の実施形態２を示す図１相当図である。
【発明を実施するための形態】
【００２０】  以下、本発明の実施形態を図面に基づいて詳細に説明する。
【００２１】（実施形態１）
図１は、本発明の実施形態１に係る飲料用容器（以下単に容器という）１の縦断面図である。上記容器１は、上部に円形の開口部３が形成され、該開口部３の開口径と略同等の内径を有する樹脂製の有底筒状容器本体７と、上記開口部３を開閉するように取り付けられる樹脂製の蓋体９とを備えている。
【００２２】  上記容器本体７は、その筒部７ａの上記開口部３近傍が該筒部７ａの一般部より厚肉に形成され、その外周面に雄ネジ７ｂが形成されている。また、上記容器本体７の底壁７ｃは、容器内部５側に向けて円盤状に突出し、その略中央部に後述の可動底部材４１下方の容器内部５を大気に連通する大気連通口７ｄが形成されている。
【００２３】  そして、上記蓋体９は、平面視円形状の頂壁部９ａと、該頂壁部９ａの外周縁から下方に延びる蓋側壁部９ｂとで、キャップ状に形成され、該蓋側壁部９ｂの内周面には上記雄ネジ７ｂと螺合する雌ネジ９ｃが形成されている。
【００２４】  上記蓋体９の頂壁部９ａには、一端に開放口１１ａを、他端に閉塞壁１１ｂを有する円形状の挿入孔１１が、上記蓋体９の直径方向に略水平に延びるように形成されている。
該挿入孔１１における上記容器本体７（筒部７ａ）の略中心より上記開放口１１ａ側（図１右側）には、該挿入孔１１より大径のブッシュ挿入孔１１ｃが形成されている。
【００２５】  そして、上記ブッシュ挿入孔１１ｃ内には、円筒状ブッシュ１３が周方向に回転不能に挿入され、該ブッシュ１３の両端側には、Ｏリング１５，１５（シール部材）が配設されている。上記開放口１１ａ側のＯリング１５側方には、円環状の保持部材１７が、上記ブッシュ１３及びＯリング１５，１５を上記挿入孔１１の上記閉塞壁１１ｂ側に向けて押圧保持するように上記開放口１１ａに螺着等により固定されている。上記ブッシュ１３及び保持部材１７の内径は、上記挿入孔１１の内径と同等に形成されている。
【００２６】  上記挿入孔１１、ブッシュ１３及び保持部材１７内には、筒状で、一端（上記開放口１１ａ側）に吸引口１９ａ（開口）を、他端に底部１９ｂ（閉塞）を、内部に円形状の飲料液吸入通路１９ｃをそれぞれ有する長尺状の銜え部材１９が出没自在に挿入されている。
【００２７】  ここで、上記銜え部材１９が挿入される上記挿入孔１１、上記ブッシュ１３の内部、及び上記保持部材１７の内部を総称して銜え部材挿入孔２０という。
【００２８】  一方、上記ブッシュ挿入孔１１ｃ下側の上記頂壁部９ａには、当該ブッシュ挿入孔１１ｃと上記容器内部５とを連通する第１連通口２１ａが形成されている。そして、上記ブッシュ１３の下側周壁には、上記第１連通口２１ａに対応し、該第１連通口２１ａと上記ブッシュ１３の上記銜え部材挿入孔２０（ブッシュ１３の内部）とを連通する第２連通口２１ｂが形成されている。これにより、上記第１連通口２１ａと上記第２連通口２１ｂとで上記容器内部５と上記ブッシュ１３の上記銜え部材挿入孔２０とを連通する連通口２１が形成されている。
【００２９】  そして、上記銜え部材１９の下側周壁には、該銜え部材１９が上記銜え部材挿入孔２０内に格納された状態（図１参照）の非飲用時に上記連通口２１との連通を遮断するとともに、該銜え部材１９が容器１の側方に略水平方向に突出した状態（図２参照）の飲用時に上記連通口２１に連通する飲料液導入口２３が形成されている。
【００３０】  上記挿入孔１１（銜え部材挿入孔２０）の他端（閉塞壁１１ｂ側）と、上記銜え部材１９の他端（底部１９ｂ側）との間の該挿入孔１１には、該銜え部材１９を上記容器１の側方に向けて突出するように付勢する圧縮スプリング２５が縮装されている。また、上記銜え部材１９の他端側の上面には、上方に向けて突出する係止突起２７が突設されている。
【００３１】  そして、上記挿入孔１１の上側頂壁部９ａには、上記銜え部材１９が飲用状態（図２参照）にある上記係止突起２７の位置を起端（起端側壁部２９ｂ）とし、当該銜え部材１９の他端側へ向けて延び、上記係止突起２７が長手方向に往復移動する帯状ガイド孔２９が開孔している（図３参照）。該ガイド孔２９の開孔長さは、上記銜え部材１９が飲用状態で上記容器１の側方から突出している長さ、即ち、該銜え部材１９の突出部分が非飲用状態で上記銜え部材挿入孔２０内に完全に格納される突出部分の長さより若干長く形成されている。
【００３２】  また、上記ガイド孔２９の長手方向と直交する両側開孔縁には、該ガイド孔２９に沿うように段部２９ａが形成されている（図１、図３参照）。
【００３３】  また、上記ガイド孔２９の一端側（銜え部材１９の突出方向側）近傍の上記頂壁部９ａには、揺動式の樹脂製操作レバー３３の一端側近傍を揺動自在に軸支するボス３１が一体に突設されている。
【００３４】  上記ボス部３１に軸支された上記操作レバー３３の他端（先端部３３ａ）は、下方へ向けて折曲し、上記ガイド孔２９の他端手前まで延び、その幅は、該ガイド孔２９の開孔幅より大きく、かつ、上記段部２９ａの幅よりも小さく形成されている。
【００３５】  上記操作レバー３３は、該操作レバー３３の一端と上記蓋体９との間に縮装された付勢バネ３５により当該操作レバー３３の先端部３３ａが、上記銜え部材１９の上面に当接することなく、上記ガイド孔２９の上記段部２９ａに押圧付勢されて当接している。そして、上記係止突起２７の突出上端は、上記段部２９ａよりも上方の上記頂壁部９ａ上面近傍まで延びている。
【００３６】  上記係止突起２７及び操作レバー３３の上記先端部３３ａは、上記銜え部材１９を押さえて上記銜え部材挿入孔２０内に格納する際、当該銜え部材１９とともに上記係止突起２７が格納方向に上記ガイド孔２９内を移動し、該係止突起２７が上記操作レバー３３の先端部３３ａに当接した後、該先端部３３ａを上記付勢バネ３５の付勢力に抗して上方に持ち上げて、上記係止突起２７を通過できるようにするとともに、該係止突起２７の通過後、上記付勢バネ３５の付勢力により操作レバー３３の上記先端部３３ａが復元して上記段部２９ａに押圧される。しかる後、上記銜え部材１９の押し込みを止めると、上記係止突起２７が上記操作レバー３３の先端部３３ａに上記圧縮スプリング２５の付勢力により圧接して、上記銜え部材１９の突出方向への移動が阻止されるように構成されている。
【００３７】  上記係止突起２７の上記銜え部材１９への取付けは、上記圧縮スプリング２５及び上記銜え部材１９を上記銜え部材挿入孔２０内に挿入した後、該銜え部材１９を飲用可能な長さだけ突出させた状態で、上記ガイド孔２９の上記起端側壁部２９ｂに当接するように上記銜え部材１９の上記他端上面に接着、螺着等により突設する。
【００３８】  このように、上記圧縮スプリング２５、係止突起２７、ガイド孔２９、付勢バネ３５、及び操作レバー３３で、上記銜え部材１９を非飲用時に格納保持する一方、該格納状態の銜え部材１９を容器１の側方に突出させて飲用状態に変換し、該状態を保持する操作手段３７を構成している。
【００３９】  なお、上記筒部７ａの上端面には、シール材３９が設けられ、該筒部７ａと上記蓋体９との間から上記容器内部５の飲料液Ａが漏出しないようにしている。
【００４０】  一方、上記容器本体７の容器内部５には、上記筒部７ａの内周面に密接して上下方向に摺動する可動底部材４１が嵌合されている。即ち、該可動底部材４１は、樹脂製で、図１及び図４に示すように、上下方向に延びる外筒４１ａと、該外筒４１ａの上縁に一体に連結する略水平な底板部４１ｂとからなる筒状体である。上記外筒４１ａの上端縁及び下端縁の外周には上記容器本体７の筒部７ａの内周面に気密に密接する環状の可撓性上側リップ部４１ｃ及び下側リップ部４１ｄが一体に形成されている。
【００４１】  また、図４にも示すように、上記底板部４１ｂの下面には、上記外筒４１ａと同心の内筒４１ｅが一体に形成されるとともに、上記外筒４１ａの中心を通る十字状のリブ４１ｆが上記底板部４１ｂ、上記外筒４１ａ、及び内筒４１ｅに一体に形成されている。
【００４２】  そして、上記底板部４１ｂには、上記外筒４１ａの中心を通る直径方向に離間して下方に凹陥する一対の凹状撮み部４１ｇが形成され、該撮み部４１ｇは、２本の指を入れて上記可動底部材４１を撮むことができる大きさと深さを有するように形成されている。
【００４３】  次に、上記実施形態１に係る容器１の作用について説明する。
図１は、上記可動底部材４１の上方の上記容器内部５に、水、お茶、ジュース等の飲料液Ａを充填して上記蓋体９を該容器本体７に螺合するとともに、上記銜え部材１９を上記銜え部材挿入孔２０内に格納した非飲用状態の容器１を示している。該状態の容器１は、上記容器本体７の上端面と蓋体９との間にシール材３９が介在されているため、両者の螺合部から上記飲料液Ａが漏出することはない。
【００４４】  また、上記ブッシュ１３の両端には、シール材としての上記Ｏリング１５，１５が上記保持部材１７により押圧保持されているため、上記第１連通口２１ａを介して上記ブッシュ挿入孔１１ｃ、及び上記第２連通口２１ｂを介して上記銜え部材挿入孔２０から上記開放口１１ａ側及び上記ガイド孔２９側へ上記飲料液Ａが漏出することはない。
【００４５】  また、上記銜え部材１９の上記飲料液導入口２３は、上記ガイド孔２９側に移動して上記連通口２１と連通せず、銜え部材１９によって閉塞されているため、上記飲料液Ａが銜え部材１９の上記吸入通路１９ｃを経て上記吸引口１９ａから外部に漏出することもない。
【００４６】  そして、上記銜え部材１９は、上記付勢バネ３５により上記ガイド孔２９の段部２９ａに押圧されている上記操作レバー３３の先端部３３ａに、上記圧縮スプリング２５により上記係止突起２７を押圧当接している状態で、上記銜え部材挿入孔２０内に安定して格納保持されている。
【００４７】  このように、上記銜え部材１９を略水平方向に上記蓋体９内に格納することができるので、上記容器１が大型化することなくコンパクトである。
【００４８】  また、上記操作レバー３３は、その先端部３３ａが上記銜え部材１９の上面に当接することなく、上記ガイド孔２９の上記段部２９ａに押圧付勢されているため、上記蓋体９の上面から突出している上記操作レバー３３に、該操作レバー３３の長手方向に直交するような外力が作用すると、その先端部３３ａは該直交方向に移動しょうとするが、該方向には上記段部２９ａの縦壁が形成されていて、該縦壁により上記先端部３３ａの上記直交方向への動きが規制される。これにより、上記操作レバー３３の破損を防止することができる。
【００４９】  また、上記銜え部材１９の先端近傍には、上記ガイド孔２９内を往復移動する上記係止突起２７が突設されているため、当該銜え部材１９の周方向の回転を、該係止突起２７と上記ガイド孔２９との協働により規制することができる。
【００５０】  また、上記銜え部材１９を飲用状態から非飲用状態、あるいは非飲用状態から飲用状態にするのに、銜え部材１９の押し込み、あるいは上記操作レバー３３（上記操作手段３７）の操作のみの極めて簡単な飲用者の操作により行うことができる。
【００５１】  即ち、図１に示すような非飲用状態（非飲用時）の上記容器１を、図２に示すような飲用状態（飲用時）にするには、上記操作レバー３３を時計回り方向に揺動（回動）させるだけでよい。つまり、上記操作レバー３３の先端部３３ａを持ち上げるか、もしくは操作レバー３３の反先端側（上記付勢バネ３５側）の上面を下方へ押さえると、上記係止突起２７と操作レバー３３の上記先端部３３ａとの係合が外れ、該係止突起２７が設けられた上記銜え部材１９は、上記圧縮スプリング２５の付勢力により銜え部材挿入孔２０の一端側（開放口１１ａ側）に該銜え部材挿入孔２０内をスライド（移動）して、上記係止突起２７が上記ガイド孔２９の起端側壁部２９ｂに押圧当接し、上記圧縮スプリング２５の付勢力により上記銜え部材１９を容器１の側方から略水平方向に突出させた飲用状態で安定保持する。該飲用状態における上記銜え部材１９の上記飲料液導入口２３は、上記第２連通口２１ｂ及び第１連通口２１ａ、即ち上記連通口２１と対応（対向）し、上記銜え部材１９の上記吸入通路１９ｃが上記容器内部５に連通する。
【００５２】  そこで、飲用者が上記銜え部材１９の上記吸引口１９ａ側を口で銜えて吸引すると、この吸引力により上記容器内部５の上記飲用液Ａが上記連通口２１、飲料液導入口２３、及び吸入通路１９ｃを流通し、飲料液Ａを飲用することができる。この飲用時に、飲用者は上記銜え部材１９が容器１の側方から略水平方向に突出しているため、容器１を傾けたり、顔（視線）を上方または下方へ傾けたりすることなく、正面を向いて飲用することができる。これにより、飲用者が飲用しながら歩行しても他の歩行者、自転車、自動車等と衝突する虞を軽減することができる。
【００５３】  飲用者は、飲料を終えると上記銜え部材１９を反突出方向に上記圧縮スプリング２５の付勢力に抗して上記銜え部材挿入孔２０内に押し込んで格納する。この時、上記銜え部材１９の先端に突設された上記係止突起２７が上記ガイド孔２９内をスライドし、当該係止突起２７が上記操作レバー３３の先端部３３ａの上記ボス３１側に当接する。その後、上記係止突起２７が上記付勢バネ３５の付勢力に抗して上記操作レバー３３の先端部３３ａを持ち上げ、当該係止突起２７が操作レバー３３の先端部３３ａを通過すると、該先端部３３ａが上記付勢バネ３５の付勢力により復元して上記ガイド孔２９の段部２９ａに押圧される。しかる後、上記銜え部材１９の格納操作を止めると、図１のように上記圧縮スプリング２５の付勢力により上記係止突起２７が操作レバー３３の上記先端部３３ａに圧接した状態となる。
【００５４】  この銜え部材格納操作のとき、上記操作レバー３３の先端部３３ａは、上記銜え部材１９の上面に圧接することなく、上記ガイド孔２９の段部２９ａに圧接しているため、銜え部材１９の銜え部材挿入孔２０内への押し込み力に該圧接の負荷が作用せず、その分押し込み力を軽減することができる。
【００５５】  また、上記のようにして飲用者が飲料液Ａを吸引すると、上記容器本体７の底壁７ｃには大気連通口７ｄが開口されているため、上記吸引力により飲料液Ａが容器内部５から流出した量（吸引された量）だけ上記可動底部材４１が上昇する（図２参照）。これにより、上記容器内部５の飲料液Ａの上面に空気溜まり（空洞）が生じることなく、飲料液Ａが上記可動底部材４１の上方、即ち上記蓋体９と上記可動底部材４１との間の容器内部５に充填された状態となる。
【００５６】  このため、飲料液Ａが充填された状態の上記容器１を、ウォーキング時、ランニング時等に携帯した場合、該容器１内の飲料液Ａが波打ちし、この波打ちによる波打ち音や、容器１の揺れの助長が生じず、快適なウォーキング、ランニング等を行うことができる。
【００５７】  また、上記可動底部材４１には、上記凹状撮み部４１ｇが形成されているので、容器１の洗浄等のために、上記容器本体７内に挿入された上記可動底部材４１を取り出す際、上記撮み部４１ｇを指で撮んで上方に引っ張ることにより容易に取り出すことができる。
【００５８】  なお、上記実施形態１において、上記ブッシュ１３、Ｏリング１５，１５、及び保持部材１７を設けて、飲料液Ａが上記容器１から外部に漏出するのを防止するようにしたが、これらの部材を設けることなく他の漏出防止手段、たとえば、上記銜え部材１９の表面にラビリンスシールを形成するようにしてもよい。
【００５９】  また、上記ガイド孔２９に上記段部２９ａを形成して、該段部２９ａに上記操作レバー３３の先端部３３ａを圧接するようにしたが、該段部２９ａを形成せずに、操作レバー３３の先端部３３ａを上記蓋体９の上面に圧接するようにしてもよい。この場合、上記係止突起２７は、その上端が上記蓋体９の上面より若干突出するように形成する。
【００６０】  また、上記銜え部材１９は円環状であるが、この形状に限定することなく、他の形状、たとえば、楕円形であってもよい。
【００６１】  また、上記操作レバー３３の先端部３３ａを上記段部２９ａに押圧付勢する付勢バネ３５は、上記操作レバー３３の軸支部に巻装したコイルバネであってもよい。
【００６２】  また、上記銜え部材１９を上記銜え部材挿入孔２０内に格納した後、該銜え部材１９の上記吸入口１９ａにキャップを取り付けて、上記吸入通路１９ｃ内に異物が入らないようにしてもよい。
【００６３】  また、上記銜え部材１９の飲料液導入口２３に、吸引時に開き、非吸引時に閉じるスリット式弾性弁部材を取り付けて、上記銜え部材１９を上記銜え部材挿入孔２０に格納した際、上記吸入通路１９ｃ内に残留した若干の飲料液が上記ガイド孔２９から外部に漏出するのを防止するようにしてもよい。
【００６４】  また、上記大気連通口７ｄは、上記容器本体７の上記底壁７ｃ近傍の上記筒部７ａに形成してもよい。この場合、上記大気連通口７ｄは、上記可動底部材４１が最下位置に降下している状態における可動底部材４１の下方の容器内部５を大気に連通するような位置に開口する。
【００６５】  さらに、上記実施形態１において、上記可動底部材４１の撮み部４１ｇは、上記底板部４１ｂに一対形成したが、図５に示すような撮み部５１ｇであってもよい。即ち、図５は、可動底部材の変形実施例を示す縦断面図で、該可動底部材５１は、上記底板部４１ｂに上記外筒４１ａと同心の円環状凹陥部５１ａが下方に向けて凹んで形成され、該凹陥部５１ａの中心に上方へ向けて突出する撮み部５１ｇが一体に形成されている。該撮み部５１ｇの突出長さは、その上端部が上記底板部４１ｂの上面と略面一となるように形成されている。また、上記凹陥部５１ａの平面視の大きさ（直径）と深さは、該凹陥部５１ａに２本の指を挿入して、上記撮み部５１ｇを撮むことができる大きさと深さに形成されている。そして、上記可動底部材５１を上記容器本体７から取り出す際には、上記撮み部５１ｇを指で撮んで上方に引っ張ればよい。なお、図５において、その他は図１及び図４に示した可動底部材４１の構造と同一であるので、その説明を省略する。
【００６６】（実施形態２）
次に、本発明の実施形態２について、図６を基に説明する。なお、実施形態１と同じ構造については、説明を省略する。
【００６７】  図６は、本発明に係る飲料用容器１の図１相当図である。上記容器内部５には、実施形態１のような可動底部材４１は設けられてなく、上端７１ａが上記蓋体９に取り付けられた可撓性の樹脂製飲料液導通パイプ７１が配設されている。即ち、該導通パイプ７１は、両端が開口し、その下端（図示せず）が上記容器本体７の上記底壁７ｃ近傍まで延びている。そして、上記導通パイプ７１の上端７１ａは、その嵌入部７１ｂが上記蓋体９の上記第１連通口２１ａに気密に嵌合固定されている。
【００６８】  なお、上記導通パイプ７１は、該導通パイプ７１内の洗浄を容易にするために、上記蓋体９の第１連通口２１ａ（連通口２１）に着脱可能に取り付けることが好ましい。
【００６９】  また、図６には上記容器本体７の下部を示していないが、上該容器本体７の底壁７ｃには、実施形態１のような大気連通口７ｄは設けられていない。
【００７０】  このように構成した容器１において、図６に示す非飲用状態から飲用状態にするには、実施形態１と同様に、上記操作レバー３３を付勢バネ３５の付勢力に抗するように回動すると、圧縮スプリング２５の付勢力により上記銜え部材１９が容器１の側方に突出して、飲用状態となる。
【００７１】  また、上記導通パイプ７１の上端７１ａを上記連通口２１に気密に取り付けたので、飲料液Ａが上記容器内部５に充填されていない状態で飲用者が上記銜え部材１９を口で銜えて飲み始めると、飲料液Ａの液面より上方の容器内部５の空気を吸引することなく、飲料液Ａを直ちに飲むことができる。
【００７２】  また、飲用を終えると、飲用者は上記銜え部材１９を上記銜え部材挿入孔２０内に格納するため、この格納に伴い銜え部材１９により上記導入口２３と上記連通口２１との連通が遮断され、これにより上記導通パイプ７１内に空気が溜まることなく飲料液Ａが充填しており、次の飲用時に上記導通パイプ７１内の空気を吸入することなく、吸引開始時から飲料液Ａを飲むことができる。
【００７３】  このように、本実施形態２に係る容器１の効果は、実施形態１に係る容器１の携帯時での波打ち音発生防止効果及び揺動助長防止効果を除き、実施形態１と同様の効果を有するものである。
【符号の説明】
【００７４】１    容器（飲料用容器）
３    開口部
５    容器内部
７    容器本体
７ａ    筒部
７ｃ    底壁
７ｄ    大気連通口
９    蓋体
９ａ    頂壁部
１９  銜え部材
１９ｃ  吸入通路
２０  銜え部材挿入孔
２１  連通口
２３  導入口
２５  圧縮スプリング
２７  係止突起
２９  ガイド孔
２９ｂ  起端側壁部
３３  操作レバー
３５  付勢バネ
３７  操作手段
４１、５１  可動底部材
７１  飲用液導通パイプ
７１ａ  上端
Ａ    飲料液
【図１】
2019059544.tif 000003
【図２】
2019059544.tif 000004
【図３】
2019059544.tif 000005
【図４】
2019059544.tif 000006
【図５】
2019059544.tif 000007
【図６】
2019059544.tif 000008